(57)【特許請求の範囲】
【請求項１】
内視鏡挿入部に挿通配置されたケーブルが、心線と、該心線を覆う導電性のシールドと、該シールドを被覆する非導電性の被覆部材と、から構成され、前記シールドがリード線に接続されるとともに、前記被覆部材が前記リード線と前記心線を覆う保護部材に接続される電子内視鏡のケーブル構造において、
前記リード線と前記シールドの接続部は、
前記被覆部材の一部を切り欠いて露出させたシールドに前記リード線が接続されるとともに、前記保護部材を前記被覆部材に外嵌して、前記リード線と前記シールドとの接続部が被覆されることを特徴とする電子内視鏡のケーブル構造。
【請求項２】
前記心線と前記シールドとの間に前記心線を被覆するように絶縁体を介在させ、該絶縁体は前記シールドの端部より延出させることを特徴とする請求項１記載の電子内視鏡のケーブル構造。
【発明の詳細な説明】
【０００１】
【発明の属する技術分野】
本発明は電子内視鏡のケーブル構造に係り、特に電子内視鏡に設けられた固体撮像素子（ＣＣＤ）から映像信号を送信する電子内視鏡のケーブル構造に関する。
【０００２】
【従来の技術】
電子内視鏡は、挿入部先端硬質部内に設けられた撮像光学系の後方にＣＣＤが配置されている。ＣＣＤはセラミック等からなる基板上に固着されており、この基板には多数本の心線が各々所定の端子に接続される。
【０００３】
前記心線を導電性の編組シールドと非導電性の外皮とからなるケーブル内に収束して多心ケーブルを構成している。この多心ケーブルはプロセッサに接続され、このプロセッサにより前記心線から電送されるＣＣＤで光電変換された映像信号を信号処理し、被写体をモニタ装置に表示する。
【０００４】
ところで、前記多心ケーブルは、図４に示すように、心線１を絶縁テープ９で巻回し、さらに導電性の編組シールド２と非導電性の外皮３とで被覆して構成される。編組シールド２は、内視鏡挿入部内でアース線４に接続され、前記外皮３は、アース線４と前記心線１とを被覆するケーブル保護部材５に接続される。
【０００５】
編組シールド２とアース線４との接続構造は、例えば特開平６−２８５０２０号公報に記載されており、図４は接続部基板側にケーブル保護部材がある場合の応用形態で、編組シールド２を外皮３から延出させて撚り、この撚った部分にアース線４を半田付けする。編組シールド２とアース線４との接続部の内側には、保護チューブ６が心線１に外嵌されており、編組シールド２やアース線４の端部がばらけた際、接触して心線１を損傷させて短絡するのを防止する。また、編組シールド２とアース線４との接続部には、２本の取付チューブ７、８が外被されている。そして、保護チューブ６と取付チューブ７によって編組シールド２とアース線４の接続部付近を保持し、取付チューブ７、８によりケーブル保護部材５を挟持する。これらの保護チューブ６、及び取付チューブ７、８により、太さの異なる外皮３とケーブル保護部材５とが接続される。
【０００６】
【発明が解決しようとする課題】
しかしながら、従来のケーブル構造は、保護チューブ６と取付チューブ７、８を必要とするので、その分、多心ケーブルが太くなるという欠点がある。
【０００７】
電子内視鏡の挿入部には、前記多心ケーブルの他に、鉗子チャンネル、フォーカス調整用のワイヤガイド、アングル操作ワイヤ、及び送気・送水チャンネル等が配設されており、前記多心ケーブルが太くなると前記鉗子チャンネル等の配置スペースが制限されるので、多心ケーブルをできる限り細くしたいという要望がある。
【０００８】
本発明はこのような事情に鑑みて成されたもので、多心ケーブルを細くできる電子内視鏡のケーブル構造を提供することを目的とする。
【０００９】
【課題を解決するための手段】
本発明は前記目的を達成するために、内視鏡挿入部に挿通配置されたケーブルが、心線と、該心線を覆う導電性のシールドと、該シールドを被覆する非導電性の被覆部材と、から構成され、前記シールドがリード線に接続されるとともに、前記被覆部材が前記リード線と前記心線を覆う保護部材に接続される電子内視鏡のケーブル構造において、前記リード線と前記シールドの接続部は、前記被覆部材の一部を切り欠いて露出させたシールドに前記リード線が接続されるとともに、前記保護部材を前記被覆部材に外嵌して、前記リード線と前記シールドとの接続部が被覆されることを特徴としている。
【００１０】
本発明によれば、被覆部材を切り欠いて露出させたシールドにリード線を接続したので、被覆部材の切欠部内に、シールドとリード線との接続部が収容される。したがって、前記接続部がかさばらないので、ケーブルを細くできる。
【００１１】
また、シールドとリード線との接続部を被覆部材の切欠部内に配置したので、保護部材を被覆部材に直接接続することができ、さらにシールドの端部及びリード線先端部が直接心線に触れることを防止できる。したがって、保護チューブ及び取付チューブが不要となり、その分、ケーブルを細くできる。
【００１２】
【発明の実施の形態】
以下添付図面に従って本発明に係る電子内視鏡のケーブル構造の好ましい実施の形態について詳述する。
【００１３】
図１は、本発明に係るケーブル構造が適用された電子内視鏡の全体図である。同図に示すように、電子内視鏡の挿入部先端硬質部３０内には撮像光学系３２が配置され、この撮像光学系３２の後方には光路変換用プリズム３４が配置される。前記プリズム３４の出射端にはＣＣＤ３６が設けられると共に、このＣＣＤ３６はセラミック等からなる基板３８上に固着されている。前記基板３８には多数本の心線１２、１２…（図２参照）が各々所定の端子に接続される。
【００１４】
前記心線１２、１２…は、多心ケーブル１０内に収束されて、プロセッサ４０に接続される。このプロセッサ４０は、心線１２、１２…から伝送されるＣＣＤ３６で光電変換された映像信号を信号処理し、被写体像をモニタ装置４２に表示する。
【００１５】
図２に示すように、前記多心ケーブル１０は、前記心線１２を、導電性の編組シールド１６と、該編組シールド１６を覆う被覆部材１８とで被覆して構成される。被覆部材１８は、フッ素樹脂やポリ塩化ビニル等の非導電性材料によって構成される。また、心線１２と編組シールド１６との間には、ポリエステル製のシールテープ等が心線１２を巻回するようにして構成された絶縁体１４が介在されている。絶縁体１４は、編組シールド１６より少し（ｔ）だけ長めに配置されており、編組シールド１６の端部が直接心線１２に触れることによって心線１２が損傷し、短絡するのを防止できる。このように構成された多心ケーブル１０は、径が比較的小さいという特性があり、内視鏡挿入部の先端硬質部内や湾曲部内に配置される。
【００１６】
これに対し、図２に示すように、多心ケーブル１０のＣＣＤが固着された基板（以下、ＣＣＤ基板）側は、心線１２とアース線（リード線に相当）２４とをケーブル保護部材２６で被覆して構成される。アース線２４の先端部２４Ａは、編組シールド１６に接続され、アース線の基端部は、図示しないアース端子に接続される。また、ケーブル保護部材２６は、シリコンチューブや熱収縮チューブによって構成される。このように構成された多心ケーブル１０は可撓性が比較的大きいという特性があり、内視鏡挿入部の軟性部内に配置される。
【００１７】
アース線２４と編組シールド１６との接続構造は、図３に示すように、まず、被覆部材１８の端部にコの字状の切欠溝１８Ａを形成し、編組シールド１６を露出させる。そして、この編組シールド１６の露出した部分にアース線２４の先端部２４Ａを半田付けすることにより、アース線２４の先端がばらけて直接心線１２に触れることによって心線１２が損傷し、短絡するのを防止できる。
【００１８】
次いで、ケーブル保護部材２６を、被覆部材１８の端部に直接外嵌させた後、接着する。これにより、前記切欠溝１８Ａはケーブル保護部材２６によって完全に被覆され、アース線２４と編組シールド１６との接続部が保護される。
【００１９】
上記の如く構成されたケーブル構造によれば、編組シールド１６とアース線２４との接続部が切欠溝１８Ａの内部に収納されるので、前記接続部がかさばらず、多心ケーブル１０を細くすることができる。
【００２０】
また、前記接続部を切欠溝１８Ａ内に配置したことによって、ケーブル保護部材２６を被覆部材１８に直接外嵌させて接続することができるので、取付チューブが不要になり、その分、多心ケーブル１０を細くできる。
【００２１】
さらに、絶縁体１４を編組シールド１６より少しだけ長めに配置し、また、前記接続部を切欠溝１８Ａ内に配置したことによって、編組シールド１６の端部及びアース線２４の先端部２４Ａが直接心線１２に接触するのを防止でき、短絡防止用の保護チューブが不要となるので、その分、多心ケーブル１０の接続部を細くできる。
【００２２】
なお、本発明は、心線が導電性の編組シールドと、この編組シールドを覆う非導電性の被覆部材とによって被覆される構造の多心ケーブルであれば適用することができる。
【００２３】
【発明の効果】
以上説明したように本発明に係る電子内視鏡のケーブル構造によれば、被覆部材を切り欠いて露出させたシールドにリード線を接続し、被覆部材の切欠部内に、シールドとリード線との接続部を収容したので、前記接続部がかさばらず、ケーブルを細くできる。
【００２４】
また、シールドとリード線との接続部を被覆部材の切欠部内に配置することによって、保護部材を被覆部材に直接接続するとともに、シールドの端部及びリード線先端部が直接心線に触れることを防止したので、保護チューブ及び取付チューブが不要となり、その分、ケーブルを細くできる。
【図面の簡単な説明】
【図１】本発明に係るケーブル構造が採用された電子内視鏡を示す全体図
【図２】本発明に係るケーブル構造を示す断面図
【図３】図２の矢印方向から見たケーブルの平面図
【図４】従来のケーブル構造を示す断面図
【符号の説明】
１０…多心ケーブル、１２…心線、１４…絶縁体、１６…編組シールド、１８…被覆部材、１８Ａ…切欠部、２４…アース線、２６…ケーブル保護部材
【図１】
0003821205.tif 000002
【図２】
0003821205.tif 000003
【図３】
0003821205.tif 000004
【図４】
0003821205.tif 000005